(57)【要約】  本願は、情報送信及び決定、関係決定方法及び装置を提供し、該情報送信方法は、基地局が上位層シグナリングによって、端末がチャネルの広範囲特性を取得するための、擬似コロケーションノンゼロパワーチャネル状態情報参照信号ＣＳＩ−ＲＳ指示情報が含まれているＭ（Ｍ≧１で、Ｍは正の整数である）個のパラメータ集合を送信することと、Ｍ＞１の場合、基地局がさらに、物理層制御シグナリングによって、現在、該物理層制御シグナリングを送信するサブフレームのパラメータ集合選択情報を指示することと、を含む。
2018530243.tif 000002
【特許請求の範囲】
【請求項１】
基地局が上位層シグナリングによって、端末がチャネルの広範囲特性を取得するための、擬似コロケーションノンゼロパワーチャネル状態情報参照信号ＣＳＩ−ＲＳ指示情報が含まれているＭ（Ｍ≧１で、Ｍは正の整数である）個のパラメータ集合を送信することと、
Ｍ＞１の場合、基地局が物理層制御シグナリングによって、現在、前記物理層制御シグナリングを送信するサブフレームのパラメータ集合選択情報を指示することと、
を含む情報送信方法。
【請求項２】
前記パラメータ集合における擬似コロケーションノンゼロパワーＣＳＩ−ＲＳ指示情報は、１つ又は複数の擬似コロケーションノンゼロパワーＣＳＩ−ＲＳポート群の指示情報を含む、
請求項１に記載の情報送信方法。
【請求項３】
前記１つ又は複数の擬似コロケーションノンゼロパワーＣＳＩ−ＲＳポート群が、同一組のノンゼロパワーＣＳＩ−ＲＳ構成に対応する、
請求項２に記載の情報送信方法。
【請求項４】
前記パラメータ集合における擬似コロケーションノンゼロパワーＣＳＩ−ＲＳ指示情報は、擬似コロケーションＣＳＩ−ＲＳ時間領域位置指示情報を含む、
請求項１に記載の情報送信方法。
【請求項５】
前記擬似コロケーションＣＳＩ−ＲＳ時間領域位置指示情報は、オフセット情報指示情報及びサブフレーム集合指示情報のいずれか１つを含む、
請求項４に記載の情報送信方法。
【請求項６】
前記パラメータ集合における擬似コロケーションノンゼロパワーＣＳＩ−ＲＳ指示情報は、擬似コロケーションＣＳＩ−ＲＳ周波数領域位置指示情報を含む、
請求項１に記載の情報送信方法。
【請求項７】
前記擬似コロケーションＣＳＩ−ＲＳ周波数領域位置指示情報は、リソースブロックＲＢ集合情報及びサブバンド集合情報のいずれか１つを含む、
請求項６に記載の情報送信方法。
【請求項８】
前記パラメータ集合には、Ｙ（Ｙ≧２で、Ｙは正の整数である）組のノンゼロパワーＣＳＩ−ＲＳ構成を示すための、擬似コロケーションノンゼロパワーＣＳＩ−ＲＳ構成指示情報が含まれている、
請求項１乃至７のうちのいずれかに記載の情報送信方法。
【請求項９】
前記サブフレームにおける復調参照信号ＤＭＲＳポートと前記擬似コロケーションノンゼロパワーＣＳＩ−ＲＳ指示情報に対応するＣＳＩ−ＲＳポートとは、擬似コロケーションされるものである、
請求項１乃至７のうちのいずれかに記載の情報送信方法。
【請求項１０】
端末が上位層シグナリングによって、端末がチャネルの広範囲特性を取得するための、擬似コロケーションノンゼロパワーチャネル状態情報参照信号ＣＳＩ−ＲＳ指示情報が含まれているＭ（Ｍ≧１で、Ｍは正の整数である）個のパラメータ集合を受信することと、
Ｍ＝１の場合、端末が、前記擬似コロケーションノンゼロパワーＣＳＩ−ＲＳ指示情報に基づいて、擬似コロケーションチャネル状態情報参照信号ＣＳＩ−ＲＳ情報を決定すること、或いは、
Ｍ＞１の場合、端末が、物理層制御シグナリングによってパラメータ集合選択情報を受信し、擬似コロケーションノンゼロパワーＣＳＩ−ＲＳ指示情報及び前記パラメータ集合選択情報に基づいて、前記物理層制御シグナリングが現在あるサブフレームにおける復調参照信号ＤＭＲＳの擬似コロケーションＣＳＩ−ＲＳ情報を決定することと、
を含む情報決定方法。
【請求項１１】
前記パラメータ集合における擬似コロケーションノンゼロパワーＣＳＩ−ＲＳ指示情報は、１つ又は複数の擬似コロケーションノンゼロパワーＣＳＩ−ＲＳポート群の指示情報を含む、
請求項１０に記載の情報決定方法。
【請求項１２】
前記１つ又は複数の擬似コロケーションノンゼロパワーＣＳＩ−ＲＳポート群が、同一組のノンゼロパワーＣＳＩ−ＲＳ構成に対応する、
請求項１１に記載の情報決定方法。
【請求項１３】
前記パラメータ集合における擬似コロケーションノンゼロパワーＣＳＩ−ＲＳ指示情報は、擬似コロケーションＣＳＩ−ＲＳ時間領域位置指示情報を含む、
請求項１０に記載の情報決定方法。
【請求項１４】
前記擬似コロケーションＣＳＩ−ＲＳ時間領域位置指示情報は、オフセット情報指示情報及びサブフレーム集合指示情報のいずれか１つを含む、
請求項１３に記載の情報決定方法。
【請求項１５】
前記パラメータ集合における擬似コロケーションノンゼロパワーＣＳＩ−ＲＳ指示情報は、擬似コロケーションＣＳＩ−ＲＳ周波数領域位置指示情報を含む、
請求項１０に記載の情報決定方法。
【請求項１６】
前記擬似コロケーションＣＳＩ−ＲＳ周波数領域位置指示情報は、リソースブロックＲＢ集合情報及びサブバンド集合情報のいずれか１つを含む、
請求項１５に記載の情報決定方法。
【請求項１７】
前記パラメータ集合には、Ｙ（Ｙ≧２で、Ｙは正の整数である）組の擬似コロケーションノンゼロパワーＣＳＩ−ＲＳ構成の指示情報が含まれている、
請求項１０乃至１６のうちのいずれかに記載の情報決定方法。
【請求項１８】
端末が、Ｎ（Ｎ≧１で、Ｎは正の整数である）種の擬似コロケーション関係のタイプの集合を決定することと、
Ｎ＝１の場合、端末が、前記擬似コロケーション関係のタイプに基づいて、アンテナポート同士の擬似コロケーション関係を決定すること、或いは、
Ｎ＞１の場合、端末が、前記擬似コロケーション関係のタイプ及び上位層シグナリング構成のタイプ指示シグナリングに基づいて、アンテナポート同士の擬似コロケーション関係の集合を決定することと、
を含む関係決定方法。
【請求項１９】
端末が、プリコーディングマトリクス指示ＰＭＩイネーブル構成パラメータに基づいてＮ種の擬似コロケーション関係のタイプの集合を決定すること、をさらに含む、
請求項１８に記載の関係決定方法。
【請求項２０】
端末が、測定制限構成パラメータに基づいてＮ種の擬似コロケーション関係のタイプの集合を決定すること、をさらに含む、
請求項１８に記載の関係決定方法。
【請求項２１】
前記Ｎ種の擬似コロケーション関係は、
専用復調参照信号ポート７〜１４、及び基地局の擬似コロケーション測定参照信号構成シグナリングによって指示される共用参照信号ポート０〜３が擬似コロケーションされる、と端末が想定するタイプを含む、
請求項１８に記載の関係決定方法。
【請求項２２】
端末がチャネルの広範囲特性を取得するための、擬似コロケーションノンゼロパワーチャネル状態情報参照信号ＣＳＩ−ＲＳ指示情報が含まれているＭ（Ｍ≧１で、Ｍは正の整数である）個のパラメータ集合を上位層シグナリングによって送信する第１の送信モジュールと、
Ｍ＞１の場合、現在、物理層制御シグナリングを送信するサブフレームのパラメータ集合選択情報を前記物理層制御シグナリングによって指示する第２の送信モジュールと、
を備える情報送信装置。
【請求項２３】
端末がチャネルの広範囲特性を取得するための、擬似コロケーションノンゼロパワーチャネル状態情報参照信号ＣＳＩ−ＲＳ指示情報が含まれているＭ（Ｍ≧１で、Ｍは正の整数である）個のパラメータ集合を上位層シグナリングによって受信する受信モジュールと、
Ｍ＝１の場合、前記擬似コロケーションノンゼロパワーＣＳＩ−ＲＳ指示情報に基づいて、擬似コロケーションチャネル状態情報参照信号ＣＳＩ−ＲＳ情報を決定する第１の決定モジュールと、
Ｍ＞１の場合、物理層制御シグナリングによってパラメータ集合選択情報を受信し、擬似コロケーションノンゼロパワーＣＳＩ−ＲＳ指示情報及び前記パラメータ集合選択情報に基づいて、前記物理層制御シグナリングが現在あるサブフレームにおける復調参照信号ＤＭＲＳの擬似コロケーションＣＳＩ−ＲＳ情報を決定する第２の決定モジュールと、
を備える情報決定装置。
【請求項２４】
Ｎ（Ｎ≧１で、Ｎは正の整数である）種の擬似コロケーション関係のタイプの集合を決定する第３の決定モジュールと、
Ｎ＝１の場合、前記擬似コロケーション関係のタイプに基づいて、アンテナポート同士の擬似コロケーション関係を決定する第４の決定モジュールと、
Ｎ＞１の場合、前記擬似コロケーション関係のタイプ及び上位層シグナリング構成のタイプ指示シグナリングに基づいて、アンテナポート同士の擬似コロケーション関係の集合を決定する第５の決定モジュールと、
を備える関係決定装置。
【発明の詳細な説明】
【技術分野】
【０００１】
本願は通信分野に関するが、これに限定されず、特に、情報送信及び決定、関係決定方法及び装置に関する。
【背景技術】
【０００２】
チャネル復調時に、端末は、基地局から端末までのチャネルの一部の統計特性パラメータを予め取得することができれば、これらの統計特性パラメータを生かして復調参照信号の推定正確度を効果的に高め、受信機性能を向上させ、ノイズを効果的に抑制することができるとともに、統計特性パラメータを異なる推定アルゴリズム及び受信アルゴリズムに適用することができる。なお、同じ基地局から送信された参照信号からしか上記統計チャネル特性を正確に測定することができず、つまり、これらの統計特性パラメータの測定は、同じ基地局から送られた参照信号、例えば、チャネル状態情報測定用参照信号（Channel State Information Reference Signal、単にＣＳＩ−ＲＳという）又はセル共用参照信号（Cell specific Reference Signal、単にＣＲＳという）に対して行われるのが一般的である。
【０００３】
これに加え、基地局が信号を発射する時に、デバイスは、何らの誤差も発生しないような非常に理想的なものにはなりえないため、実際のシステムにおいて、周波数オフセット及び時間オフセット問題は不可避である。一般的には、周波数オフセット及び時間オフセットの較正についても、同じ基地局から送信されたＣＳＩ−ＲＳ又はＣＲＳで測定することで、周波数オフセット及び時間オフセットに対する較正を完成することができる。
【０００４】
長期進化型（Long Term Evolution、単にＬＴＥという）／高度化長期進化型（Long Term Evolution-Advanced、単にＬＴＥ−Ａという）システムにおいて、マルチポイント伝送がサポートされる場合、データ送信を行う基地局は端末にとって透明であり、且つデータ送信を行う基地局を動的に切り替えることができ、受信されたデータはどの基地局から送信されてきたのか、端末が正確に把握できないため、擬似コロケーション情報指示子（Quasi-Co-Location indicator）の定義及びその通知シグナリングを導入した。
【０００５】
擬似コロケーション情報指示子は、現在データで送信され通知されたＣＳＩ−ＲＳと、専用復調参照信号（de-Modulation Reference Signal、単にＤＭＲＳという）で送信され通知されたＣＳＩ−ＲＳとが擬似コロケーションされることを表し、この２つの送信され通知されたＣＳＩ−ＲＳは、ほぼ同様なチャネルの広範囲特性、例えばdelay spread, Doppler spread, Doppler shift, average delayを有し、擬似コロケーションは、現在データとＤＭＲＳとがほぼ同じ基地局から送信されると理解されることができる。３ＧＰＰ ＴＳ ３６．２１３の仕様において、擬似コロケーション情報指示子は、再マッピング(RE mapping)された関連情報とともに通知される。表１は、擬似コロケーション指示子及びデータチャネルリソースユニットマッピング通知シグナリングのそれぞれの状態の意味である。
【０００６】
【表１】
2018530243.tif 000003
【０００７】
表１に示すように、擬似コロケーション指示子及びデータチャネルリソースユニットマッピング通知シグナリングでは、２ｂｉｔの物理層下り制御シグナリング（Downlink Control Information、単にＤＣＩという）を用いて、４つのパラメータ集合（set）を動的に指示し、各setに１組のパラメータが含まれており、この１組のパラメータは、以下のタイプの情報を含む。
【０００８】
-ポート数及び周波数領域shiftのパラメータを含むＣＲＳの構成パラメータ情報。
-マルチメディアブロードキャスト／マルチキャストサービス単一周波数ネットワーク（Multimedia Broadcast multicast service Single Frequency Network、単にＭＢＳＦＮという）サブフレーム構成パラメータ情報。
-ゼロパワー（Zero Power、単にＺＰという）ＣＳＩ−ＲＳのパラメータ構成情報。
-データチャネル開始記号パラメータの構成情報。
-擬似コロケーションノンゼロパワー（Non-Zero Power、単にＮＺＰという）ＣＳＩ−ＲＳ情報。
【０００９】
上記内容から、基地局が端末へデータを送信する中、送信元である基地局を動的に切り替えることができ、この２ｂｉｔのシグナリングによって上記情報を動的に指示すれば、再マッピングRE mapping問題、及び参照信号とデータ伝送の擬似コロケーションが変化する問題を解決できることが明らかとなる。
【００１０】
以前のバージョンにおいて、ＣＳＩ−ＲＳはいずれも非プリコーディング参照信号であるため、基地局は一般的には１組のＣＳＩ−ＲＳしか送信しない。しかし、参照信号及びフィードバックオーバヘッドの増加によって、プリコーディングＣＳＩ−ＲＳが導入されした後、同じ基地局から複数のプリコーディング参照信号を送信することがあり、異なるプリコーディング参照信号がそれぞれ異なるプリコーディングウェイトに対応していることから、複数の仮想セルが発生したことに相当する。図１は、関連技術において、異なるプリコーディング参照信号によって複数の仮想セルが発生することを示す図である。
【００１１】
関連技術において、異なるプリコーディング参照信号をサポートする方式は以下のようものがある。
【００１２】
方式１：
表２には、異なるプリコーディング参照信号が複数組の異なる参照信号構成に明示的に対応する場合が示されている。
【００１３】
【表２】
2018530243.tif 000004
【００１４】
方式２：
表３には、同一組のノンゼロパワーＣＳＩ−ＲＳ構成における異なるポート群がそれぞれ異なるウェイトのプリコーディング参照信号に対応する場合が示されている。
【００１５】
【表３】
2018530243.tif 000005
【００１６】
方式３：
表４には、同じノンゼロパワーＣＳＩ−ＲＳ構成ｉにおける異なるサブフレームの参照信号がそれぞれ異なるウェイトのプリコーディング参照信号に対応することが示されている。
【００１７】
【表４】
2018530243.tif 000006
【００１８】
方式４：
表５には、同一組のノンゼロパワーＣＳＩ−ＲＳ構成ｉにおける異なる周波数領域位置の参照信号がそれぞれ異なるウェイトのプリコーディング参照信号に対応する場合が示されている。
【００１９】
【表５】
2018530243.tif 000007
【００２０】
このように、関連技術において、下り擬似コロケーション指示子及びデータチャネルリソースユニットマッピング通知シグナリングは、１組のＮＺＰ ＣＳＩ−ＲＳ configurationの通知のみをサポートし、これを現在伝送されているデータチャネルと擬似コロケーションしてバインドする。しかし、方式２，３又は４では、関連する擬似コロケーション情報の通知は、ポート別、サブフレーム別、サブバンド（周波数領域）別で行われることができないため、このような方法はチャネル推定性能及び受信機性能を損なう。そして、方式１，２，３又は４では、１つのセルに複数のビームが発生すると、図１に示すような複数の仮想セルが形成し、この場合、関連する２ｂｉｔの下り擬似コロケーション指示子及びデータチャネルリソースユニットマッピング通知シグナリングはニーズに応えることができなくなる。
【００２１】
従来、擬似コロケーション情報の通知シグナリングによる指示が不明確であることに起因して、端末の取得したチャネルの広範囲特性が正しくない問題に対して、未だに対応策が提示されていない。
【発明の概要】
【発明が解決しようとする課題】
【００２２】
以下、本文に詳しく説明される主題をまとめる。このまとめは請求項の保護範囲を制限することを意図していない。
【００２３】
本発明の実施例は、情報送信及び決定、関係決定方法及び装置を提供し、従来、擬似コロケーション情報の通知シグナリングにおいて、異なるプリコーディング参照信号が区別されることができないことに起因して、端末のチャネル推定性能が劣るという問題を解決する。
【課題を解決するための手段】
【００２４】
情報送信方法であって、基地局が上位層シグナリングによって、端末がチャネルの広範囲特性を取得するための、擬似コロケーションノンゼロパワーチャネル状態情報参照信号ＣＳＩ−ＲＳ指示情報が含まれているＭ（Ｍ≧１で、Ｍは正の整数である）個のパラメータ集合を送信することと、Ｍ＞１の場合、基地局が物理層制御シグナリングによって、現在、前記物理層制御シグナリングを送信するサブフレームのパラメータ集合選択情報を指示することと、を含む。
【００２５】
オプションとして、前記パラメータ集合における擬似コロケーションノンゼロパワーＣＳＩ−ＲＳ指示情報は、１つ又は複数の擬似コロケーションノンゼロパワーＣＳＩ−ＲＳポート群の指示情報を含んでもよい。
【００２６】
オプションとして、前記１つ又は複数の擬似コロケーションノンゼロパワーＣＳＩ−ＲＳポート群が、同一組のノンゼロパワーＣＳＩ−ＲＳ構成に対応してもよい。
【００２７】
オプションとして、前記パラメータ集合における擬似コロケーションノンゼロパワーＣＳＩ−ＲＳ指示情報は、擬似コロケーションＣＳＩ−ＲＳ時間領域位置指示情報を含んでもよい。
【００２８】
オプションとして、前記擬似コロケーションＣＳＩ−ＲＳ時間領域位置指示情報は、オフセット情報指示情報及びサブフレーム集合指示情報のいずれか１つを含んでもよい。
【００２９】
オプションとして、前記パラメータ集合における擬似コロケーションノンゼロパワーＣＳＩ−ＲＳ指示情報は、擬似コロケーションＣＳＩ−ＲＳ周波数領域位置指示情報を含んでもよい。
【００３０】
オプションとして、前記擬似コロケーションＣＳＩ−ＲＳ周波数領域位置指示情報は、リソースブロックＲＢ集合情報及びサブバンド集合情報のいずれか１つを含んでもよい。
【００３１】
オプションとして、前記パラメータ集合には、Ｙ（Ｙ≧２で、Ｙは正の整数である）組のノンゼロパワーＣＳＩ−ＲＳ構成を示すための、擬似コロケーションノンゼロパワーＣＳＩ−ＲＳ構成指示情報が含まれていてもよい。
【００３２】
オプションとして、前記サブフレームにおける復調参照信号ＤＭＲＳポートと前記擬似コロケーションノンゼロパワーＣＳＩ−ＲＳ指示情報に対応するＣＳＩ−ＲＳポートとは、擬似コロケーションされてもよい。
【００３３】
情報決定方法であって、端末が上位層シグナリングによって、端末がチャネルの広範囲特性を取得するための、擬似コロケーションノンゼロパワーチャネル状態情報参照信号ＣＳＩ−ＲＳ指示情報が含まれているＭ（Ｍ≧１で、Ｍは正の整数である）個のパラメータ集合を受信することと、Ｍ＝１の場合、端末が、前記擬似コロケーションノンゼロパワーＣＳＩ−ＲＳ指示情報に基づいて、擬似コロケーションチャネル状態情報参照信号ＣＳＩ−ＲＳ情報を決定すること、或いは、Ｍ＞１の場合、端末が、物理層制御シグナリングによってパラメータ集合選択情報を受信し、擬似コロケーションノンゼロパワーＣＳＩ−ＲＳ指示情報及び前記パラメータ集合選択情報に基づいて、前記物理層制御シグナリングが現在あるサブフレームにおける復調参照信号ＤＭＲＳの擬似コロケーションＣＳＩ−ＲＳ情報を決定することと、を含む。
【００３４】
オプションとして、前記パラメータ集合における擬似コロケーションノンゼロパワーＣＳＩ−ＲＳ指示情報は、１つ又は複数の擬似コロケーションノンゼロパワーＣＳＩ−ＲＳポート群の指示情報を含んでもよい。
【００３５】
オプションとして、前記１つ又は複数の擬似コロケーションノンゼロパワーＣＳＩ−ＲＳポート群が、同一組のノンゼロパワーＣＳＩ−ＲＳ構成に対応してもよい。
【００３６】
オプションとして、前記パラメータ集合における擬似コロケーションノンゼロパワーＣＳＩ−ＲＳ指示情報は、擬似コロケーションＣＳＩ−ＲＳ時間領域位置指示情報を含んでもよい。
【００３７】
オプションとして、前記擬似コロケーションＣＳＩ−ＲＳ時間領域位置指示情報は、オフセット情報指示情報及びサブフレーム集合指示情報のいずれか１つを含んでもよい。
【００３８】
オプションとして、前記パラメータ集合における擬似コロケーションノンゼロパワーＣＳＩ−ＲＳ指示情報は、擬似コロケーションＣＳＩ−ＲＳ周波数領域位置指示情報を含んでもよい。
【００３９】
オプションとして、前記擬似コロケーションＣＳＩ−ＲＳ周波数領域位置指示情報は、リソースブロックＲＢ集合情報及びサブバンド集合情報のいずれか１つを含んでもよい。
【００４０】
オプションとして、前記パラメータ集合には、Ｙ（Ｙ≧２で、Ｙは正の整数である）組の擬似コロケーションノンゼロパワーＣＳＩ−ＲＳ構成の指示情報が含まれていてもよい。
【００４１】
関係決定方法であって、端末が、Ｎ（Ｎ≧１で、Ｎは正の整数である）種の擬似コロケーション関係のタイプの集合を決定することと、Ｎ＝１の場合、端末が、前記擬似コロケーション関係のタイプに基づいて、アンテナポート同士の擬似コロケーション関係を決定すること、或いは、Ｎ＞１の場合、端末が、前記擬似コロケーション関係のタイプ及び上位層シグナリング構成のタイプ指示シグナリングに基づいて、アンテナポート同士の擬似コロケーション関係の集合を決定することと、を含む。
【００４２】
オプションとして、該関係決定方法は、端末が、プリコーディングマトリクス指示ＰＭＩイネーブル構成パラメータに基づいてＮ種の擬似コロケーション関係のタイプの集合を決定すること、をさらに含んでもよい。
【００４３】
オプションとして、該関係決定方法は、端末が、測定制限構成パラメータに基づいてＮ種の擬似コロケーション関係のタイプの集合を決定すること、をさらに含んでもよい。
【００４４】
オプションとして、前記Ｎ種の擬似コロケーション関係は、専用復調参照信号ポート７〜１４と基地局の擬似コロケーション測定参照信号構成シグナリングによって指示される共用参照信号ポート０〜３とが擬似コロケーションされる、と端末が想定するタイプを含んでもよい。
【００４５】
情報送信装置であって、端末がチャネルの広範囲特性を取得するための、擬似コロケーションノンゼロパワーチャネル状態情報参照信号ＣＳＩ−ＲＳ指示情報が含まれているＭ（Ｍ≧１で、Ｍは正の整数である）個のパラメータ集合を上位層シグナリングによって送信する第１の送信モジュールと、Ｍ＞１の場合、現在、物理層制御シグナリングを送信するサブフレームのパラメータ集合選択情報を前記物理層制御シグナリングによって指示する第２の送信モジュールと、を備える。
【００４６】
情報決定装置であって、端末がチャネルの広範囲特性を取得するための、擬似コロケーションノンゼロパワーチャネル状態情報参照信号ＣＳＩ−ＲＳ指示情報が含まれているＭ（Ｍ≧１で、Ｍは正の整数である）個のパラメータ集合を上位層シグナリングによって受信する受信モジュールと、Ｍ＝１の場合、前記擬似コロケーションノンゼロパワーＣＳＩ−ＲＳ指示情報に基づいて、擬似コロケーションチャネル状態情報参照信号ＣＳＩ−ＲＳ情報を決定する第１の決定モジュールと、Ｍ＞１の場合、物理層制御シグナリングによってパラメータ集合選択情報を受信し、擬似コロケーションノンゼロパワーＣＳＩ−ＲＳ指示情報及び前記パラメータ集合選択情報に基づいて、前記物理層制御シグナリングが現在あるサブフレームにおける復調参照信号ＤＭＲＳの擬似コロケーションＣＳＩ−ＲＳ情報を決定する第２の決定モジュールと、を備える。
【００４７】
関係決定装置であって、Ｎ（Ｎ≧１で、Ｎは正の整数である）種の擬似コロケーション関係のタイプの集合を決定する第３の決定モジュールと、Ｎ＝１の場合、前記擬似コロケーション関係のタイプに基づいて、アンテナポート同士の擬似コロケーション関係を決定する第４の決定モジュール、或いは、Ｎ＞１の場合、前記擬似コロケーション関係のタイプ及び上位層シグナリング構成のタイプ指示シグナリングに基づいて、アンテナポート同士の擬似コロケーション関係の集合を決定する第５の決定モジュールと、を備える。
【００４８】
コンピュータ実行可能な命令が記憶されているコンピュータ読取可能な記憶媒体であって、前記コンピュータ実行可能な命令は、プロセッサによって実行されると、前記情報送信方法、情報決定方法及び関係決定方法を実現する。
【発明の効果】
【００４９】
本発明の実施例は、基地局が上位層シグナリングによってＭ（Ｍ≧１で、Ｍは正の整数である）個のパラメータ集合を送信し、各パラメータ集合には、端末がチャネルの広範囲特性を取得するための、擬似コロケーションノンゼロパワーチャネル状態情報参照信号ＣＳＩ−ＲＳ指示情報が含まれており、Ｍ＞１の場合、基地局が物理層制御シグナリングによって、現在、前記物理層制御シグナリングを送信するサブフレームのパラメータ集合選択情報を指示する構成となっている。本発明の実施例の構成によれば、端末は、擬似コロケーションノンゼロパワーＣＳＩ−ＲＳ指示情報に基づいて、使用されるＣＳＩ−ＲＳ構成情報を決定し、そして、端末がチャネルの広範囲特性を取得するようにすることができ、端末が、取得されたチャネルの広範囲特性に基づくマッチングを行い、現在データの擬似コロケーション情報を取得するようにすることができ、これにより、従来、擬似コロケーション情報の通知シグナリングによる指示が不明確であることに起因して、端末の取得したチャネルの広範囲特性が正しくない問題を解決し、そのうえ、端末のチャネル推定性能を向上させる効果を達成する。
【図面の簡単な説明】
【００５０】
【図１】関連技術による異なるプリコーディング参照信号によって複数の仮想セルが発生することを示す図である。
【図２】本発明の実施例による情報送信方法のフローチャートである。
【図３】本発明の実施例による情報決定方法のフローチャートである。
【図４】本発明の実施例による関係決定方法のフローチャートである。
【図５】本発明の実施例による情報送信装置の構成ブロック図である。
【図６】本発明の実施例による情報決定装置の構成ブロック図である。
【図７】本発明の実施例による関係決定装置の構成ブロック図である。
【図８】本発明の実施例による同じセルに複数の異なるビームのプリコーディング参照信号が発生することを示す図である。
【図９】本発明の実施例に係る複数のビームのＣＳＩ−ＲＳを実現する第１の概略図である。
【図１０】本発明の実施例に係る複数のビームのＣＳＩ−ＲＳを実現する第２の概略図である。
【図１１】本発明の実施例に係る複数のビームのＣＳＩ−ＲＳを実現する第３の概略図である。
【図１２】本発明の実施例に係る異なるサブバンド位置に異なるビームを有することを示す図である。
【発明を実施するための形態】
【００５１】
以下、図面を結合して本発明の実施例を詳しく説明する。なお、衝突しない限り、本願の実施例及び実施例中の構成要件を互いに組み合わせることができる。
【００５２】
なお、本発明の実施例の明細書及び特許請求の範囲並びに上記図面に言及された「第１」、「第２」等の用語は、類似した対象を区別するためのものであり、特定の順番又は前後順序を説明するためのものではない。
【００５３】
本実施例には情報送信方法が開示され、図２は、本発明の実施例による情報送信方法のフローチャートであり、図２に示すように、そのフローはステップＳ２０１〜Ｓ２０２を含む。
【００５４】
ステップＳ２０１：基地局は上位層シグナリングによってＭ個のパラメータ集合を送信し、ただし、Ｍ≧１で、Ｍは正の整数であり、各パラメータ集合には、擬似コロケーションノンゼロパワーチャネル状態情報参照信号ＣＳＩ−ＲＳ指示情報が含まれており、該擬似コロケーションノンゼロパワーＣＳＩ−ＲＳ指示情報は、端末がチャネルの広範囲特性を取得するためのものである。
【００５５】
ステップＳ２０２：Ｍ＞１の場合、基地局は物理層制御シグナリングによって、現在、物理層制御シグナリングを送信するサブフレームのパラメータ集合選択情報を指示する。
【００５６】
ステップＳ２０１におけるチャネルの広範囲特性とは、delay spread、Doppler spread、Doppler shift、及びaverage delayを指す。上記ステップによって、端末が、取得されたチャネルの広範囲特性に基づくマッチングを行い、現在データの擬似コロケーション情報を取得するようにすることができ、これにより、従来、擬似コロケーション情報の通知シグナリングによる指示が不明確であることに起因して、端末の取得したチャネルの広範囲特性が正しくない問題を解決し、そのうえ、端末のチャネル推定性能を向上させる効果を達成する。
【００５７】
代替的な一実施例において、上記パラメータ集合における擬似コロケーションノンゼロパワーＣＳＩ−ＲＳ指示情報は、１つ又は複数の擬似コロケーションノンゼロパワーＣＳＩ−ＲＳポート群の指示情報を含む。この代替的な実施例において、１つ又は複数の擬似コロケーションノンゼロパワーＣＳＩ−ＲＳポート群に１つ又は複数のビームが対応し、この１つ又は複数のビームのノンゼロパワーＣＳＩ−ＲＳに差異があるため、端末が、擬似コロケーションノンゼロパワーＣＳＩ−ＲＳポート群の指示情報に基づいて、異なる擬似コロケーションノンゼロパワーＣＳＩ−ＲＳポート群におけるビームそれぞれに対応する擬似コロケーションノンゼロパワーＣＳＩ−ＲＳ構成を決定するようにすることができる。
【００５８】
代替的な一実施例において、１つ又は複数の擬似コロケーションノンゼロパワーＣＳＩ−ＲＳポート群が、同一組のノンゼロパワーＣＳＩ−ＲＳ構成に対応する。１組のノンゼロパワーＣＳＩ−ＲＳ構成とは、関連技術に構成される擬似コロケーションノンゼロパワーＣＳＩ−ＲＳ情報を意味する。この代替的な実施例において、端末が、同一組のノンゼロパワーＣＳＩ−ＲＳ構成に対応する異なるウェイトに基づいて、１つ又は複数の擬似コロケーションノンゼロパワーＣＳＩ−ＲＳポート群における複数のビームがそれぞれ対応する、最終的に算出された擬似コロケーションノンゼロパワーＣＳＩ−ＲＳ構成を決定するようにすることができる。
【００５９】
代替的な一実施例において、パラメータ集合における擬似コロケーションノンゼロパワーＣＳＩ−ＲＳ指示情報は、擬似コロケーションＣＳＩ−ＲＳ時間領域位置指示情報を含む。この代替的な実施例において、異なる擬似コロケーションノンゼロパワーＣＳＩ−ＲＳ時間領域位置に１つ又は複数のビームが対応し、異なる時間領域位置にある１つ又は複数のビームのノンゼロパワーＣＳＩ−ＲＳに差異があるため、端末が、擬似コロケーションノンゼロパワーＣＳＩ−ＲＳ時間領域位置指示情報に基づいて、異なる擬似コロケーションノンゼロパワーＣＳＩ−ＲＳ時間領域位置にあるビームがそれぞれ対応する擬似コロケーションノンゼロパワーＣＳＩ−ＲＳ構成を決定するようにすることができる。
【００６０】
代替的な一実施例において、擬似コロケーションＣＳＩ−ＲＳ時間領域位置指示情報は、オフセット情報指示情報及びサブフレーム集合指示情報のいずれか１つを含む。
【００６１】
代替的な一実施例において、パラメータ集合における擬似コロケーションノンゼロパワーＣＳＩ−ＲＳ指示情報は、擬似コロケーションＣＳＩ−ＲＳ周波数領域位置指示情報を含む。この代替的な実施例において、異なる擬似コロケーションノンゼロパワーＣＳＩ−ＲＳ周波数領域位置に１つ又は複数のビームが対応し、異なる周波数領域位置にある１つ又は複数のビームのノンゼロパワーＣＳＩ−ＲＳに差異があるため、端末が、擬似コロケーションノンゼロパワーＣＳＩ−ＲＳ周波数領域位置指示情報に基づいて、異なる擬似コロケーションノンゼロパワーＣＳＩ−ＲＳ周波数領域位置にあるビームがそれぞれ対応する擬似コロケーションノンゼロパワーＣＳＩ−ＲＳ構成を決定するようにすることができる。
【００６２】
代替的な一実施例において、擬似コロケーションＣＳＩ−ＲＳ周波数領域位置指示情報は、リソースブロックＲＢ集合情報及びサブバンド集合情報のいずれか１つを含む。
【００６３】
代替的な一実施例において、パラメータ集合には、擬似コロケーションノンゼロパワーＣＳＩ−ＲＳ構成指示情報が含まれており、該擬似コロケーションノンゼロパワーＣＳＩ−ＲＳ構成指示情報は、Ｙ組のノンゼロパワーＣＳＩ−ＲＳ構成を示し、Ｙ≧２で、Ｙは正の整数である。この代替的な実施例において、パラメータ集合は、１組のノンゼロパワーＣＳＩ−ＲＳ構成に対応する異なるウェイトだけでなく、２組以上のノンゼロパワーＣＳＩ−ＲＳ構成、及び該２組以上のノンゼロパワーＣＳＩ−ＲＳ構成に対応するウェイトを示すこともできる。
【００６４】
代替的な一実施例において、サブフレームにおける復調参照信号ＤＭＲＳポートと上記擬似コロケーションノンゼロパワーＣＳＩ−ＲＳ指示情報に対応するＣＳＩ−ＲＳポートとは、擬似コロケーションされる。この代替的な実施例において、端末が、現在データがあるＣＳＩ−ＲＳポートと擬似コロケーション復調参照信号ＤＭＲＳポートを決定するようにすることができ、さらに、チャネル推定の正確性を向上させる。
【００６５】
上述の情報送信方法は、基地局側から記述したものであり、以下、端末側から本発明の実施例に係る情報決定方法を説明する。
【００６６】
本発明の実施例には情報決定方法が提供され、図３は、本発明の実施例による情報決定方法のフローチャートであり、図３に示すように、そのフローはステップＳ３０１〜Ｓ３０３を含む。
【００６７】
ステップＳ３０１：端末は、上位層シグナリングによってＭ個のパラメータ集合を受信し、ただし、Ｍ≧１で、Ｍは正の整数であり、各パラメータ集合には、擬似コロケーションノンゼロパワーチャネル状態情報参照信号ＣＳＩ−ＲＳ指示情報が含まれており、擬似コロケーションノンゼロパワーＣＳＩ−ＲＳ指示情報は、端末がチャネルの広範囲特性を取得するためのものである。
【００６８】
ステップＳ３０２：Ｍ＝１の場合、端末は、擬似コロケーションノンゼロパワーＣＳＩ−ＲＳ指示情報に基づいて、擬似コロケーションチャネル状態情報参照信号ＣＳＩ−ＲＳ情報を決定する。
【００６９】
ステップＳ３０３：Ｍ＞１の場合、端末は、物理層制御シグナリングによってパラメータ集合選択情報を受信し、擬似コロケーションノンゼロパワーＣＳＩ−ＲＳ指示情報及びパラメータ集合選択情報に基づいて、物理層制御シグナリングが現在あるサブフレームにおける復調参照信号ＤＭＲＳの擬似コロケーションＣＳＩ−ＲＳ情報を決定する。
【００７０】
上記ステップによって、端末が、取得されたチャネルの広範囲特性に基づくマッチングを行い、現在データの擬似コロケーション情報を取得するようにすることができ、従来、擬似コロケーション情報の通知シグナリングによる指示が不明確であることに起因して、端末の取得したチャネルの広範囲特性が正しくない問題を解決し、そのうえ、端末のチャネル推定性能を向上させる効果を達成する。
【００７１】
代替的な一実施例において、パラメータ集合における擬似コロケーションノンゼロパワーＣＳＩ−ＲＳ指示情報は、１つ又は複数の擬似コロケーションノンゼロパワーＣＳＩ−ＲＳポート群の指示情報を含む。この代替的な実施例において、端末は、擬似コロケーションノンゼロパワーＣＳＩ−ＲＳポート群の指示情報に基づいて、異なる擬似コロケーションノンゼロパワーＣＳＩ−ＲＳポート群におけるビームがそれぞれ対応する擬似コロケーションノンゼロパワーＣＳＩ−ＲＳ構成を決定する。
【００７２】
代替的な一実施例において、１つ又は複数の擬似コロケーションノンゼロパワーＣＳＩ−ＲＳポート群が、同一組のノンゼロパワーＣＳＩ−ＲＳ構成に対応する。この代替的な実施例において、端末は、同一組のノンゼロパワーＣＳＩ−ＲＳ構成に対応する異なるウェイトに基づいて、１つ又は複数の擬似コロケーションノンゼロパワーＣＳＩ−ＲＳポート群における複数のビームがそれぞれ対応する、最終的に算出された擬似コロケーションノンゼロパワーＣＳＩ−ＲＳ構成を決定する。
【００７３】
代替的な一実施例において、パラメータ集合における擬似コロケーションノンゼロパワーＣＳＩ−ＲＳ指示情報は、擬似コロケーションＣＳＩ−ＲＳ時間領域位置指示情報を含む。この代替的な実施例において、端末は、擬似コロケーションノンゼロパワーＣＳＩ−ＲＳ時間領域位置指示情報に基づいて、異なる擬似コロケーションノンゼロパワーＣＳＩ−ＲＳ時間領域位置にあるビームがそれぞれ対応する擬似コロケーションノンゼロパワーＣＳＩ−ＲＳ構成を決定する。
【００７４】
代替的な一実施例において、擬似コロケーションＣＳＩ−ＲＳ時間領域位置指示情報は、オフセット情報指示情報、サブフレーム集合指示情報のいずれかである。
【００７５】
代替的な一実施例において、パラメータ集合における擬似コロケーションノンゼロパワーＣＳＩ−ＲＳ指示情報は、擬似コロケーションＣＳＩ−ＲＳ周波数領域位置指示情報を含む。この代替的な実施例において、端末が、擬似コロケーションノンゼロパワーＣＳＩ−ＲＳ周波数領域位置指示情報に基づいて、異なる擬似コロケーションノンゼロパワーＣＳＩ−ＲＳ周波数領域位置にあるビームがそれぞれ対応する擬似コロケーションノンゼロパワーＣＳＩ−ＲＳ構成を決定するようにすることができる。
【００７６】
代替的な一実施例において、擬似コロケーションＣＳＩ−ＲＳ周波数領域位置指示情報は、リソースブロックＲＢ集合情報及びサブバンド集合情報のいずれか１つを含む。
【００７７】
代替的な一実施例において、パラメータ集合には、Ｙ組の擬似コロケーションノンゼロパワーＣＳＩ−ＲＳ構成の指示情報が含まれており、ただし、Ｙ≧２で、Ｙは正の整数である。この代替的な実施例において、パラメータ集合は、１組のノンゼロパワーＣＳＩ−ＲＳ構成に対応する異なるウェイトだけでなく、２組以上のノンゼロパワーＣＳＩ−ＲＳ構成、及びこの２組以上のノンゼロパワーＣＳＩ−ＲＳ構成に対応するウェイトを含むこともできる。
【００７８】
端末が擬似コロケーションチャネル状態情報参照信号ＣＳＩ−ＲＳ情報を決定する前に、或いは、決定した後に、本発明の実施例には関係決定方法がさらに提供され、図４は、本発明の実施例による関係決定方法のフローチャートであり、図４に示すように、そのフローはステップＳ４０１〜Ｓ４０３を含む。
【００７９】
ステップＳ４０１：端末は、Ｎ種の擬似コロケーション関係のタイプの集合を決定し、Ｎ≧１で、Ｎは正の整数である。
【００８０】
ステップＳ４０２：Ｎ＝１の場合、端末は、擬似コロケーション関係のタイプに基づいて、アンテナポート同士の擬似コロケーション関係を決定する。
【００８１】
ステップＳ４０３：Ｎ＞１の場合、端末は、擬似コロケーション関係のタイプ及び上位層シグナリング構成のタイプ指示シグナリングに基づいて、アンテナポート同士の擬似コロケーション関係の集合を決定する。
【００８２】
この代替的な実施例において、端末が、決定された１種又は複数種の擬似コロケーション関係のタイプの集合に基づいて、アンテナポート同士の擬似コロケーション関係を決定するようにすることができ、端末は、現在データの擬似コロケーション情報を取得し、これにより、従来、擬似コロケーション情報の通知シグナリングによる指示が不明確であることに起因して、端末の取得したチャネルの広範囲特性が正しくない問題を解決し、そのうえ、端末のチャネル推定性能を向上させる効果を達成する。
【００８３】
代替的な一実施例において、端末は、プリコーディングマトリクス指示ＰＭＩイネーブル構成パラメータに基づいてＮ種の擬似コロケーション関係のタイプの集合を決定する。
【００８４】
代替的な一実施例において、端末は、測定制限構成パラメータに基づいてＮ種の擬似コロケーション関係のタイプの集合を決定する。
【００８５】
代替的な一実施例において、Ｎ種の擬似コロケーション関係は、専用復調参照信号ポート７〜１４、及び基地局の擬似コロケーション測定参照信号構成シグナリングによって指示される共用参照信号ポート０〜３が擬似コロケーションされると端末が想定するタイプを含む。
【００８６】
以上の実施形態で説明したように、上記実施例による方法は、ソフトウェア及び必要な汎用ハードウェアプラットフォームを介して実現されることができ、もちろんハードウェアによって実現されることもできるが、多くの場合、前者がより適切な実施形態であることは、当業者にとって明らかである。このような理解に基づいて、本発明の実施例の技術案は、本質上、或いは、関連技術に貢献する部分が、ソフトウェア製品の形で体現されることができ、このコンピュータソフトウェア製品は、記憶媒体（例えば、ＲＯＭ／ＲＡＭ、磁気ディスク、光ディスク）に記憶され、端末機器（携帯電話、コンピュータ、サーバ、又はネットワークデバイス等であってもよい）に本発明の実施例に記載の方法を実行させるための複数の命令を含む。
【００８７】
本実施例には情報送信及び決定、関係決定装置も提供され、上記実施例及び代替的な実施形態を実現するものであって、既に説明したものは省略される。以下で使用する用語「モジュール」とは、所定の機能を実現可能なソフトウェア及び／又はハードウェアの組み合わせである。以下の実施例に説明される装置をソフトウェアで実現することが好ましいが、ハードウェア又はソフトウェアとハードウェアとの組み合わせにより実現することも可能であり、構想されている。
【００８８】
図５は、本発明の実施例による情報送信装置の構成ブロック図であり、図５に示すように、該装置は、第１の送信モジュール５１と第２の送信モジュール５２とを備え、以下、該装置を説明する。
【００８９】
第１の送信モジュール５１は、上位層シグナリングによってＭ個のパラメータ集合を送信し、ただし、Ｍ≧１で、Ｍは正の整数であり、各パラメータ集合には、擬似コロケーションノンゼロパワーチャネル状態情報参照信号ＣＳＩ−ＲＳ指示情報が含まれており、擬似コロケーションノンゼロパワーＣＳＩ−ＲＳ指示情報は、端末がチャネルの広範囲特性を取得するためのものである。第２の送信モジュール５２は、上記第１の送信モジュール５１に接続され、Ｍ＞１の場合、物理層制御シグナリングによって、現在、物理層制御シグナリングを送信するサブフレームのパラメータ集合選択情報を指示する。
【００９０】
図６は、本発明の実施例による情報決定装置の構成ブロック図であり、図６に示すように、該装置は、受信モジュール６１と、第１の決定モジュール６２と、第２の決定モジュール６３とを備え、以下、該装置を説明する。
【００９１】
受信モジュール６１は、上位層シグナリングによってＭ個のパラメータ集合を受信し、ただし、Ｍ≧１で、Ｍは正の整数であり、各パラメータ集合には、擬似コロケーションノンゼロパワーチャネル状態情報参照信号ＣＳＩ−ＲＳ指示情報が含まれており、擬似コロケーションノンゼロパワーＣＳＩ−ＲＳ指示情報は、端末がチャネルの広範囲特性を取得するためのものである。第１の決定モジュール６２は、上記受信モジュール６１に接続され、擬似コロケーションノンゼロパワーＣＳＩ−ＲＳ指示情報に基づいて、擬似コロケーションチャネル状態情報参照信号ＣＳＩ−ＲＳ情報を決定する。第２の決定モジュール６３は、上記受信モジュール６１に接続され、Ｍ＞１の場合、物理層制御シグナリングによってパラメータ集合選択情報を取得し、擬似コロケーションノンゼロパワーＣＳＩ−ＲＳ指示情報及びパラメータ集合選択情報に基づいて、物理層制御シグナリングが現在あるサブフレームにおける復調参照信号ＤＭＲＳの擬似コロケーションＣＳＩ−ＲＳ情報を決定する。
【００９２】
図７は、本発明の実施例による関係決定装置の構成ブロック図であり、図７に示すように、該装置は、第３の決定モジュール７１と、第４の決定モジュール７２と、第５の決定モジュール７３とを備え、以下、該装置を説明する。
【００９３】
第３の決定モジュール７１は、Ｎ種の擬似コロケーション関係のタイプの集合を決定し、Ｎ≧１で、Ｎは正の整数である。第４の決定モジュール７２は、上記第３の決定モジュール７１に接続され、Ｎ＝１の場合、擬似コロケーション関係のタイプに基づいてアンテナポート同士の擬似コロケーション関係を決定する。第５の決定モジュール７３は、上記第３の決定モジュール７１に接続され、Ｎ＞１の場合、擬似コロケーション関係のタイプ及び上位層シグナリング構成のタイプ指示シグナリングに基づいて、アンテナポート同士の擬似コロケーション関係の集合を決定する。
【００９４】
なお、上記各モジュールはソフトウェア又はハードウェアによって実現されることができ、後者の場合、以下の方式で実現されることができるが、これに限定されない。上記モジュールは、すべて同一のプロセッサに位置するか、それぞれ複数のプロセッサに位置する。
【００９５】
以下、具体的な実施環境を結合して、本発明の実施例に係る情報送信、決定方法及び装置を説明する。
【００９６】
（実施例１）
関連技術において、擬似コロケーション情報の通知は、ポート別、サブフレーム別、サブバンド別で行われることができないため、異なるビームによる伝送の場合、同一の擬似コロケーションＮＺＰ ＣＳＩ−ＲＳ configurationを用いて測定しなければならないが、実際には、異なるビームは異なるチャネル特性(論理チャネルであり、端末から論理チャネルしか見られない)を有するため、このような方法はチャネル推定性能及び受信機性能を損なう。そして、１つのセルに複数のビームが発生すると、図１のような複数の仮想セルが形成し、この場合、関連する２ｂｉｔの指示シグナリングは要求に応えることができなくなり、１６個以上もあるビームの選択をサポートしなければならない場合がある。しかし、簡単なシグナリング拡張によるオーバヘッドは、良い方法ではない。
【００９７】
従来、擬似コロケーション情報の通知シグナリングによる指示が不明確であることに起因して、端末の取得したチャネルの広範囲特性が正しくない問題を解決するために、本発明の実施例には擬似コロケーション情報の指示方法(即ち、上記情報送信方法)が提供され、基地局は上位層シグナリングによってＭ個のパラメータ集合(parameter Set)を送信し、ただし、Ｍ≧１で、Ｍは正の整数であり、各パラメータ集合には、１組の擬似コロケーションノンゼロパワーＣＳＩ−ＲＳ指示情報が含まれていることと、Ｍ＞１の場合、基地局はさらに物理層制御シグナリングによって、端末が現在あるサブフレームのパラメータ集合選択情報を指示することと、を含む。
【００９８】
図８は、本発明の実施例による同じセルに発生した複数の異なるビームのプリコーディング参照信号を示す図であり、図８に示すように、同じセルに数多くの異なるビームのプリコーディング参照信号が発生する場合、ここにはＫ＝８個のビームがあり、各ビームごとに１組のＬ＝２portの参照信号が対応し、Ｌが整数であるとすると、端末はＫ＝８個の参照信号ポート群を測定し、対応するポート群を選んでＣＳＩ報告を行う必要がある。
【００９９】
この時、以下の２つの場合がある。
場合１
【表６】
2018530243.tif 000008
場合２
【表７】
2018530243.tif 000009
【０１００】
場合１では、関連する擬似コロケーション指示の通知は、１組のＮＺＰ ＣＳＩ−ＲＳ構成全体に関わっており、その含まれているportが、異なるdelay spread, Doppler spread, Doppler shift, and average delayを有することを区別しない。このため、関連する擬似コロケーションＮＺＰ ＣＳＩ−ＲＳ情報の通知メカニズムを採用すれば、あまり正確ではない問題があり、性能を損なう。
【０１０１】
本発明の実施例によれば、対応策として、port集合の情報を通知することが提案される。
【０１０２】
例えば、８つのSetを構成する場合、表８のように構成することができる。
【０１０３】
【表８】
2018530243.tif 000010
【０１０４】
このような方式では、まず最初にＵＥに対して、対応する可能性が最も高いBeamを４つ構成してから、ＤＣＩで動的に選択し、異なるＵＥに対して異なるBeamを構成し、ここでのBeamはport群を意味する。従来の方式に比べ、このような方式は現在サブフレームＤＭＲＳの擬似コロケーションＣＳＩ−ＲＳポート群情報をより正確に指示することができ、ＮＺＰ ＣＳＩ−ＲＳ全体に含まれるすべてのポート情報を指示しないため、より正確になる。
【０１０５】
４つのSetを構成する場合、表９のように構成してもよく、このような方法では、８つのBeamをすべて含むことができる。
【０１０６】
【表９】
2018530243.tif 000011
【０１０７】
場合２では、実施例１における擬似コロケーション情報の指示方法によれば、場合２における擬似コロケーション指示情報を、現在ＤＭＲＳと擬似コロケーションされるポートをより多く示すように拡張することができる。また、４つのSetを構成する場合、表１０のように構成してもよく、表１０において、それぞれの擬似コロケーションＮＺＰ ＣＳＩ−ＲＳ構成ＩＤによって指示される１組の擬似コロケーションＣＳＩ−ＲＳ構成には、それぞれ１つ又は複数のポート群が含まれている。
【０１０８】
【表１０】
2018530243.tif 000012
【０１０９】
（実施例２）
図９は、複数のビームのＣＳＩ−ＲＳを実現する第１の概略図であり、図９に示すように、異なるサブフレーム位置にて異なるビームを送信し、異なる位置にて異なるチャネル量子化情報のフィードバックをトリガーすることで、複数のプリコーディング参照信号を比較的に柔軟にサポートする。
【０１１０】
関連技術では、１組の周期的なＮＺＰ ＣＳＩ−ＲＳ構成が通知され、図９におけるサブフレームは、いずれも現在データ送信サブフレームのＤＭＲＳと擬似コロケーションされる関係にあると理解されることに相当し、問題となるのが明らかである。１つの対応策は、既存の擬似コロケーションＮＺＰ ＣＳＩ−ＲＳ構成をもとにして、それぞれのSetに対して時間領域位置指示情報、例えば、サブフレームオフセット情報及びサブフレーム集合情報などを付加し、ＤＣＩにおけるSet選択シグナリングによって選択することである。
【０１１１】
表１１は、サブフレームオフセット情報によって時間領域位置指示を行うマッピングテーブルであり、表１１に示すように、既存のパラメータ集合にサブフレームオフセットoffsetの指示を付加する。
【０１１２】
【表１１】
2018530243.tif 000013
【０１１３】
図１０は、複数のビームのＣＳＩ−ＲＳを実現する第２の概略図であり、図１０に示すように、複数のウィンドウを定義し、ＣＳＩ−ＲＳのプリコーディングウェイトは同一ウィンドウでは変わらないが、ウィンドウ同士では変わりうる。
【０１１４】
図１０におけるサブフレームはいずれも現在データ送信サブフレームのＤＭＲＳと擬似コロケーションされる関係にあるのを回避するために、もう１つの対応策は、既存のパラメータ集合に対してウィンドウオフセットoffsetによる指示を付加することである。表１２は、ウィンドウオフセット情報によって時間領域位置指示を行うマッピングテーブルである。
【０１１５】
【表１２】
2018530243.tif 000014
【０１１６】
図１１は、複数のビームのＣＳＩ−ＲＳを実現する第３の概略図であり、図１１に示すように、時間領域におけるプリコーディングウェイトに対してラウンドロビンを行うことができる。
【０１１７】
同様に、図１１におけるサブフレームはいずれも現在データ送信サブフレームのＤＭＲＳと擬似コロケーションされる関係にあるのを回避するために、１つの対応策は、サブフレーム集合情報を付加することで時間領域位置指示を行うマッピングテーブルである表１３に示すように、既存の擬似コロケーションＮＺＰ ＣＳＩ−ＲＳ構成をもとにして、それぞれのSetに対してサブフレーム集合情報を付加し、ＤＣＩにおけるSet選択シグナリングによって選択することである。
【０１１８】
【表１３】
2018530243.tif 000015
【０１１９】
（実施例３）
構成されたシステム帯域幅が大きい場合、異なる周波数領域位置にて使用されるプリコーディング参照信号は変更される可能性があり、図１２は、異なるサブバンド位置に異なるビームを有することを示す図である。関連技術では、１組の周期的なＮＺＰ ＣＳＩ−ＲＳ構成が通知され、図１２におけるＲＢ／サブバンドで送信されたＣＳＩ−ＲＳは、いずれも現在データ送信サブフレームのＤＭＲＳと擬似コロケーションされる関係にあると理解されることに相当し、しかし、この理解は正しくない。１つの対応策は、既存の擬似コロケーションＮＺＰ ＣＳＩ−ＲＳ構成をもとにして、それぞれのSetに対して周波数領域位置指示情報を付加し、ＤＣＩにおけるSet選択シグナリングによって選択することである。
【０１２０】
表１４では、サブバンド位置を通知することで周波数領域位置の指示を行い、これにより、異なるサブバンド位置に異なるウェイトが対応する。サブバンド１，２，３，４のＣＳＩ−ＲＳ構成ＩＤはいずれも１であるが、しかし、各サブバンドのウェイトが異なるため、異なるサブバンド位置に対する異なるＣＳＩ−ＲＳ情報の構成を実現することができる。
【０１２１】
【表１４】
2018530243.tif 000016
【０１２２】
表１５では、ＲＢ位置を通知することで周波数領域位置の指示を行い、これにより、異なるＲＢ位置に異なるウェイトが対応している。ＲＢ１〜５０のＣＳＩ−ＲＳ構成ＩＤはいずれも１であるが、しかし、各ＲＢ位置のウェイトが異なるため、異なるＲＢ位置に対する異なるＣＳＩ−ＲＳ情報の構成を実現することができる。
【０１２３】
【表１５】
2018530243.tif 000017
【０１２４】
（実施例４）
端末側は、現在の擬似コロケーションＣＳＩ−ＲＳ情報を取得するために、まず、基地局から送信された上位層構成シグナリングを受信する必要があり、基地局から送信された上位層構成シグナリングは４つのパラメータ集合であることができ、各パラメータ集合には、表１６、表１７又は表１８のような情報が含まれており、これらの情報をRE mappingの指示パラメータにバインドすることができる。
【０１２５】
【表１６】
2018530243.tif 000018
【０１２６】
【表１７】
2018530243.tif 000019
【０１２７】
【表１８】
2018530243.tif 000020
【０１２８】
端末は、表１６、表１７又は表１８から１組又は複数組の擬似コロケーション参照信号構成を取得することができるとともに、参照信号構成における具体的なポート群の構成情報を取得することができる。
【０１２９】
端末は、スケジューリングすべき下りデータがあるサブフレームにおいて、下り物理層制御シグナリングにおける下りスケジューリングに関するＤＣＩを受信し、Set選択の指示情報を取得し、端末が現在あるサブフレームに対応するparameterSet IDを決定する。端末は、parameterSet IDに基づいて、現在ＤＭＲＳの擬似コロケーションＣＳＩ−ＲＳ port群を決定する。
【０１３０】
端末はＣＳＩ−ＲＳ port群を取得した後、その含まれているＣＳＩ−ＲＳ portに基づいて広範囲チャネル特性、例えばdelay spread, Doppler spread, Doppler shift, and average delayを測定し取得する。上述したdelay spread, Doppler spread, Doppler shift, and average delay情報を測定した後、ＤＭＲＳにも上述のＣＳＩ−ＲＳ portに類似したdelay spread, Doppler spread, Doppler shift, and average delayを有すると判定された場合、端末は、該ＣＳＩ−ＲＳ port群とＤＭＲＳとが擬似コロケーションされると判定し、該ＣＳＩ−ＲＳ port群に対応するＣＳＩ−ＲＳ情報を決定し、広範囲チャネル特性を取得してチャネル推定及びデータ受信性能を向上させる。
【０１３１】
（実施例５）
端末側は、現在の擬似コロケーションＣＳＩ−ＲＳ情報を取得するために、まず、基地局から送信された上位層構成シグナリングを受信する必要があり、基地局から送信された上位層構成シグナリングは４つのパラメータ集合であることができ、各パラメータ集合には、表１９に示すような様々な情報が含まれており、これらの情報をRE mappingの指示パラメータにバインドすることができる。
【０１３２】
【表１９】
2018530243.tif 000021
【０１３３】
表１９には８組の擬似コロケーション参照信号構成ＩＤが含まれており、端末は表１９から１組を超えた擬似コロケーション参照信号構成を取得することができる。
【０１３４】
端末は、スケジューリングすべき下りデータスケジューリングがあるサブフレームにおいて、下り物理層制御シグナリングにおける下りスケジューリングに関するＤＣＩを受信し、Set選択の指示情報を取得する。端末は、端末が現在あるサブフレームに基づいて、parameterSet IDを決定し、そして該parameterSet IDに基づいて、現在ＤＭＲＳの複数組の擬似コロケーションＣＳＩ−ＲＳを決定する。
【０１３５】
端末は、複数組のＣＳＩ−ＲＳ port群を取得した後、その含まれているＣＳＩ−ＲＳ portのそれぞれに基づいて、チャネルの広範囲特性、例えばdelay spread, Doppler spread, Doppler shift, and average delayを測定し取得する。端末は、複数組の参照信号の測定結果に対して平均処理を行う。平均処理後の参照信号測定情報を測定した後、端末は、ＤＭＲＳに対応するdelay spread, Doppler spread, Doppler shift, and average delayが、上記複数組のＣＳＩ−ＲＳ構成の平均したdelay spread, Doppler spread, Doppler shift, and average delayに類似していると判定する。端末は、複数組の参照信号測定が対応するチャネルの広範囲特性の平均値を決定し、これをチャネル推定及びデータ受信に用いる。
【０１３６】
（実施例６）
端末側は、現在の擬似コロケーションＣＳＩ−ＲＳ情報を取得するために、まず、基地局から送信された上位層構成シグナリングを受信する必要があり、基地局から送信された上位層構成シグナリングは４つのパラメータ集合であることができ、それぞれのパラメータ集合には、表２０又は表２１に示すような情報が含まれており、これらの情報をRE mappingの指示パラメータにバインドすることができる。
【０１３７】
【表２０】
2018530243.tif 000022
【０１３８】
【表２１】
2018530243.tif 000023
【０１３９】
端末は、表２０又は表２１から１組又は複数組の擬似コロケーション参照信号構成を取得することができるとともに、参照信号構成における具体的なサブフレーム位置の構成情報を取得することができる。
【０１４０】
端末は、スケジューリングすべき下りデータスケジューリングがあるサブフレームにおいて、下り物理層制御シグナリングにおける下りスケジューリングに関するＤＣＩを受信し、Set選択の指示情報を取得し、端末が現在あるサブフレームに基づいてparameterSet IDを決定する。端末は、決定されたparameterSet IDに基づいて、現在ＤＭＲＳの擬似コロケーションＣＳＩ−ＲＳサブフレーム位置を決定する。
【０１４１】
端末は、ＣＳＩ−ＲＳサブフレーム位置を取得した後、その含まれているＣＳＩ−ＲＳサブフレームに基づいて、delay spread, Doppler spread, Doppler shift, and average delayを測定し取得する。上述した情報を測定した後、端末は、ＤＭＲＳも上記サブフレーム（時間領域）位置ＣＳＩ−ＲＳ portに類似したdelay spread, Doppler spread, Doppler shift, and average delayを有すると判定する。端末は、該ＣＳＩ ＲＳサブフレーム位置に対応するプリコーディング参照信号情報とＤＭＲＳとが擬似コロケーションされると確認し、該ＣＳＩ ＲＳサブフレーム位置に対応するプリコーディング参照信号情報をチャネル推定及びデータ受信に用いる。
【０１４２】
（実施例７）
端末側は、現在の擬似コロケーションＣＳＩ−ＲＳ情報を取得するために、まず、基地局から送信された上位層構成シグナリングを受信する必要があり、基地局から送信された上位層構成シグナリングは４つのパラメータ集合であることができ、それぞれのパラメータ集合には表２２又は表２３のような情報が含まれており、これらの情報をRE mappingの指示パラメータにバインドすることができる。
【０１４３】
【表２２】
2018530243.tif 000024
【０１４４】
【表２３】
2018530243.tif 000025
【０１４５】
端末は、表２２又は表２３から１組又は複数組の擬似コロケーション参照信号構成を取得することができるとともに、参照信号構成における具体的なウィンドウ位置の構成情報を取得することができる。
【０１４６】
端末は、スケジューリングすべき下りデータスケジューリングがあるサブフレームにおいて、下り物理層制御シグナリングにおける下りスケジューリングに関するＤＣＩを受信し、Set選択の指示情報を取得し、端末が現在あるサブフレームに基づいて、parameterSet IDを決定する。端末は、parameterSet IDに基づいて、現在ＤＭＲＳの擬似コロケーションＣＳＩ−ＲＳサブフレーム位置（指示されるウィンドウに含まれているＣＳＩ−ＲＳを送信するサブフレーム）を決定する。
【０１４７】
端末は、ＣＳＩ−ＲＳサブフレーム位置を取得した後、その含まれているＣＳＩ−ＲＳサブフレームに基づいて、delay spread, Doppler spread, Doppler shift, and average delayを測定し取得する。上述した情報を測定した後、端末は、ＤＭＲＳも上述したサブフレーム（時間領域）位置のＣＳＩ−ＲＳ portに類似したdelay spread, Doppler spread, Doppler shift, and average delayを有すると判定する。端末は、該ＣＳＩ ＲＳサブフレーム位置に対応するプリコーディング参照信号情報とＤＭＲＳとが擬似コロケーションされると確認し、該ＣＳＩ ＲＳサブフレーム位置に対応するプリコーディング参照信号情報をチャネル推定及びデータ受信に用いる。
【０１４８】
（実施例８）
端末側は、現在の擬似コロケーションＣＳＩ−ＲＳ情報を取得するために、まず、基地局から送信された上位層構成シグナリングを受信する必要があり、基地局から送信された上位層構成シグナリングは４つのパラメータ集合であることができ、それぞれのパラメータ集合には表２４に示すような情報が含まれており、これらの情報をRE mappingの指示パラメータにバインドすることができる。
【０１４９】
【表２４】
2018530243.tif 000026
【０１５０】
端末は、表２４から１組又は複数組の擬似コロケーション参照信号構成を取得することができるとともに、参照信号構成におけるサブフレーム群位置の構成情報を取得することができる。
【０１５１】
端末は、スケジューリングすべき下りデータスケジューリングがあるサブフレームにおいて、下り物理層制御シグナリングにおける下りスケジューリングに関するＤＣＩを受信し、Set選択の指示情報を取得し、端末が現在あるサブフレームに基づいて、parameterSet IDを決定する。端末は、parameterSet IDに基づいて、現在ＤＭＲＳの擬似コロケーションＣＳＩ−ＲＳのサブフレーム位置（指示されるサブフレーム?に含まれているサブフレーム）を決定する。
【０１５２】
端末は、ＣＳＩ−ＲＳのサブフレーム位置を取得した後、その含まれているＣＳＩ−ＲＳサブフレームに基づいて、delay spread, Doppler spread, Doppler shift, and average delayを測定し取得する。上述した情報を測定した後、端末は、ＤＭＲＳも上述した時間領域位置のＣＳＩ−ＲＳ portに類似したdelay spread, Doppler spread, Doppler shift, and average delayを有すると判定する。端末は、該ＣＳＩ ＲＳサブフレーム位置に対応するプリコーディング参照信号情報とＤＭＲＳとが擬似コロケーションされると確認し、該ＣＳＩ ＲＳサブフレーム位置に対応するプリコーディング参照信号情報をチャネル推定及びデータ受信に用いる。
【０１５３】
（実施例９）
端末側は、現在の擬似コロケーションＣＳＩ−ＲＳ情報を取得するために、まず、基地局から送信された上位層構成シグナリングを受信する必要があり、基地局から送信された上位層構成シグナリングは、４つのパラメータ集合であることができ、それぞれのパラメータ集合には、表２５又は表２６に示すような情報が含まれており、これらの情報をRE mappingの指示パラメータにバインドすることができる。
【０１５４】
【表２５】
2018530243.tif 000027
【０１５５】
【表２６】
2018530243.tif 000028
【０１５６】
端末は、表２５又は表２６から１組又は複数組の擬似コロケーション参照信号構成を取得することができるとともに、参照信号構成における周波数領域位置の構成情報を取得することができる。
【０１５７】
端末は、スケジューリングすべき下りデータスケジューリングがあるサブフレームにおいて、下り物理層制御シグナリングにおける下りスケジューリングに関するＤＣＩを受信し、Set選択の指示情報を取得し、端末が現在あるサブフレームに基づいて、parameterSet IDを決定する。端末は、parameterSet IDに基づいて、現在ＤＭＲＳの擬似コロケーションＣＳＩ−ＲＳの周波数領域位置（ＲＢ集合又はサブバンド）を決定する。
【０１５８】
端末は、ＣＳＩ−ＲＳの周波数領域位置を取得した後、これらの位置に含まれているＣＳＩ−ＲＳ周波数領域に基づいて、delay spread, Doppler spread, Doppler shift, and average delayを測定し取得する。上述した情報を測定した後、端末は、ＤＭＲＳも上述した周波数領域位置のＣＳＩ−ＲＳ portに類似したdelay spread, Doppler spread, Doppler shift, and average delayを有すると判定する。端末は、該ＣＳＩ ＲＳの周波数領域位置に対応するプリコーディング参照信号情報とＤＭＲＳとが擬似コロケーションされると確認し、該ＣＳＩ ＲＳの周波数領域位置に対応するプリコーディング参照信号情報をチャネル推定及びデータ受信に用いる。
【０１５９】
（実施例１０）
下り伝送モード、例えば、ＬＴＥ−Ａに定義された伝送モード１０では、基地局及び端末は、複数のタイプの擬似コロケーション関係があると想定することができ、例えば、以下の３つのタイプを含むことができる。
【０１６０】
タイプ１：共用参照信号ポート０〜３、専用復調参照信号ポート７〜１４、及びチャネル測定用参照信号ポート１５〜２２が擬似コロケーションされる、と端末が想定する。
【０１６１】
タイプ２：専用復調参照信号ポート７〜１４、及び基地局の擬似コロケーション測定用参照信号構成シグナリングによって指示されるチャネル測定用参照信号ポート１５〜２２が擬似コロケーションされる、と端末が想定する。
【０１６２】
タイプ３：専用復調参照信号ポート７〜１４、及び基地局の擬似コロケーション測定用参照信号構成シグナリングによって指示される共用参照信号ポート０〜３が擬似コロケーションされると想定する、と端末が想定する。
【０１６３】
ここで、タイプ２及びタイプ３は、基地局で擬似コロケーション測定用参照信号構成シグナリングによって何らかの擬似コロケーション測定用参照信号を構成する必要がある。タイプ３では、擬似コロケーション共用参照信号ポートＣＲＳを構成し、タイプ２では、擬似コロケーションチャネル情報測定用参照信号ポートＣＳＩ−ＲＳを構成する。
【０１６４】
２つのタイプのみを有してもよく、即ち、タイプ２及びタイプ３のみを含む。
【０１６５】
タイプ２：専用復調参照信号ポート７〜１４、及び基地局の擬似コロケーション測定用参照信号構成シグナリングによって指示されるチャネル測定用参照信号ポート１５〜２２が擬似コロケーションされる、と端末が想定する。
【０１６６】
タイプ３：専用復調参照信号ポート７〜１４、及び基地局の擬似コロケーション測定用参照信号構成シグナリングによって指示される共用参照信号ポート０〜３が擬似コロケーションされる、と端末が想定する。
【０１６７】
端末は、フィードバック時のＰＭＩのイネーブルパラメータ構成に基づいて、擬似コロケーション関係のタイプを決定することができ、例えば、すべてのプロセスのＰＭＩ報告をイネーブルにしていなければ、専用復調参照信号ポート７〜１４、及び基地局の擬似コロケーション測定用参照信号構成シグナリングによって指示される共用参照信号ポート０〜３が擬似コロケーションされる、と端末が想定する。少なくとも１つのＣＳＩプロセスのＰＭＩをイネーブルにしていれば、専用復調参照信号ポート７〜１４、及び基地局の擬似コロケーション測定用参照信号構成シグナリングによって指示されるチャネル測定用参照信号ポート１５〜２２が擬似コロケーションされる、と端末が想定する。
【０１６８】
（実施例１１）
下り伝送モード、例えば、ＬＴＥ−Ａに定義された伝送モード１０では、基地局及び端末は、複数のタイプの擬似コロケーション関係があると想定することができ、例えば、以下の３つのタイプを含むことができる。
【０１６９】
タイプ１：共用参照信号ポート０〜３、専用復調参照信号ポート７〜１４、及びチャネル測定用参照信号ポート１５〜２２が擬似コロケーションされる、と端末が想定する。
【０１７０】
タイプ２：専用復調参照信号ポート７〜１４、及び基地局の擬似コロケーション測定用参照信号構成シグナリングによって指示されるチャネル測定用参照信号ポート１５〜２２が擬似コロケーションされる、と端末が想定する。
【０１７１】
タイプ３：専用復調参照信号ポート７〜１４、及び基地局の擬似コロケーション測定用参照信号構成シグナリングによって指示される共用参照信号ポート０〜３が擬似コロケーションされる、と端末が想定する。
【０１７２】
ここで、タイプ２及びタイプ３は、基地局で擬似コロケーション測定用参照信号構成シグナリングによって何らかの擬似コロケーション測定用参照信号を構成する必要がある。タイプ３では、擬似コロケーション共用参照信号ポートＣＲＳを構成し、タイプ２では、擬似コロケーションチャネル情報測定用参照信号ポートＣＳＩ−ＲＳを構成する。
【０１７３】
端末は、フィードバック時のＰＭＩのイネーブルパラメータ構成に基づいて、擬似コロケーション関係のタイプの集合を決定することができ、例えば、すべてのプロセスのＰＭＩ報告をイネーブルにしていなければ、以下の集合のうちの１つのタイプを構成することができる。
【０１７４】
タイプ１：共用参照信号ポート０〜３、専用復調参照信号ポート７〜１４、及びチャネル測定用参照信号ポート１５〜２２が擬似コロケーションされる、と端末が想定する。
【０１７５】
タイプ３：専用復調参照信号ポート７〜１４、及び基地局の擬似コロケーション測定用参照信号構成シグナリングによって指示される共用参照信号ポート０〜３が擬似コロケーションされる、と端末が想定する。
【０１７６】
少なくとも１つのプロセスのＰＭＩ報告をイネーブルにしていれば、以下の集合のうちのいずれかのタイプを構成することができる。
【０１７７】
タイプ２：専用復調参照信号ポート７〜１４、及び基地局の擬似コロケーション測定用参照信号構成シグナリングによって指示されるチャネル測定用参照信号ポート１５〜２２が擬似コロケーションされる、と端末が想定する。
【０１７８】
タイプ３：専用復調参照信号ポート７〜１４、及び基地局の擬似コロケーション測定用参照信号構成シグナリングによって指示される共用参照信号ポート０〜３が擬似コロケーションされる、と端末が想定する。
【０１７９】
基地局は、１ｂｉｔのシグナリングによって擬似コロケーション関係のタイプの構成を実行する。
【０１８０】
（実施例１２）
下り伝送モード、例えば、ＬＴＥ−Ａに定義された伝送モード１０では、基地局及び端末は、複数のタイプの擬似コロケーション関係があると想定することができ、例えば、以下の３つのタイプを含むことができる。
【０１８１】
タイプ１：共用参照信号ポート０〜３、専用復調参照信号ポート７〜１４、及びチャネル測定用参照信号ポート１５〜２２が擬似コロケーションされる、と端末が想定する。
【０１８２】
タイプ２：専用復調参照信号ポート７〜１４、及び基地局の擬似コロケーション測定用参照信号構成シグナリングによって指示されるチャネル測定用参照信号ポート１５〜２２が擬似コロケーションされる、と端末が想定する。
【０１８３】
タイプ３：専用復調参照信号ポート７〜１４、及び基地局の擬似コロケーション測定用参照信号構成シグナリングによって指示される共用参照信号ポート０〜３が擬似コロケーションされる、と端末が想定する。
【０１８４】
ここで、タイプ２及びタイプ３は、基地局で擬似コロケーション測定用参照信号構成シグナリングによって何らかの擬似コロケーション測定用参照信号を構成する必要がある。タイプ３では、擬似コロケーション共用参照信号ポートＣＲＳを構成し、タイプ２では、擬似コロケーションチャネル情報測定用参照信号ポートＣＳＩ−ＲＳを構成する。
【０１８５】
２つのタイプのみを有してもよい。
【０１８６】
タイプ２：専用復調参照信号ポート７〜１４、及び基地局の擬似コロケーション測定用参照信号構成シグナリングによって指示されるチャネル測定用参照信号ポート１５〜２２が擬似コロケーションされる、と端末が想定する。
【０１８７】
タイプ３：専用復調参照信号ポート７〜１４、及び基地局の擬似コロケーション測定用参照信号構成シグナリングによって指示される共用参照信号ポート０〜３が擬似コロケーションされる、と端末が想定する。
【０１８８】
端末は、ＣＳＩ−ＲＳ測定制限パラメータ構成に基づいて、擬似コロケーション関係のタイプを決定することができ、例えば、すべてのプロセスのＣＳＩ−ＲＳ測定制限のうちのいずれかをイネーブルにしていれば、専用復調参照信号ポート７〜１４、及び基地局の擬似コロケーション測定用参照信号構成シグナリングによって指示される共用参照信号ポート０〜３が擬似コロケーションされる、と端末が想定する。すべてのプロセスのＣＳＩ−ＲＳ測定制限をイネーブルにしていなければ、専用復調参照信号ポート７〜１４、及び基地局の擬似コロケーション測定用参照信号構成シグナリングによって指示されるチャネル測定用参照信号ポート１５〜２２が擬似コロケーションされる、と端末が想定する。
【０１８９】
（実施例１３）
下り伝送モード、例えば、ＬＴＥ−Ａに定義された伝送モード１０では、基地局及び端末は、複数のタイプの擬似コロケーション関係があると想定することができ、例えば、以下の３つのタイプを含むことができる。
【０１９０】
タイプ１：共用参照信号ポート０〜３、専用復調参照信号ポート７〜１４、及びチャネル測定用参照信号ポート１５〜２２が擬似コロケーションされる、と端末が想定する。
【０１９１】
タイプ２：専用復調参照信号ポート７〜１４、及び基地局の擬似コロケーション測定用参照信号構成シグナリングによって指示されるチャネル測定用参照信号ポート１５〜２２が擬似コロケーションされる、と端末が想定する。
【０１９２】
タイプ３：専用復調参照信号ポート７〜１４、及び基地局の擬似コロケーション測定用参照信号構成シグナリングによって指示される共用参照信号ポート０〜３が擬似コロケーションされる、と端末が想定する。
【０１９３】
ここで、タイプ２及びタイプ３は、基地局で擬似コロケーション測定用参照信号構成シグナリングによって何らかの擬似コロケーション測定用参照信号を構成する必要がある。タイプ３では、擬似コロケーション共用参照信号ポートＣＲＳを構成し、タイプ２では、擬似コロケーションチャネル情報測定用参照信号ポートＣＳＩ−ＲＳを構成する。
【０１９４】
端末は、ＣＳＩ−ＲＳ測定制限構成に基づいて、擬似コロケーション関係のタイプの集合を決定することができ、例えば、１つのＣＳＩプロセスのＣＳＩ−ＲＳ測定制限をイネーブルにしていれば、以下の集合のうちの１つのタイプを構成することができる。
【０１９５】
タイプ１：共用参照信号ポート０〜３、専用復調参照信号ポート７〜１４、及びチャネル測定用参照信号ポート１５〜２２が擬似コロケーションされる、と端末が想定する。
【０１９６】
タイプ３：専用復調参照信号ポート７〜１４、及び基地局の擬似コロケーション測定用参照信号構成シグナリングによって指示される共用参照信号ポート０〜３が擬似コロケーションされる、と端末が想定する。
【０１９７】
すべてのＣＳＩプロセスのＣＳＩ−ＲＳ測定制限をイネーブルにしていなければ、以下の集合のうちのいずれかのタイプを構成することができる。
【０１９８】
タイプ２：専用復調参照信号ポート７〜１４、及び基地局の擬似コロケーション測定用参照信号構成シグナリングによって指示されるチャネル測定用参照信号ポート１５〜２２が擬似コロケーションされる、と端末が想定する。
【０１９９】
タイプ３：専用復調参照信号ポート７〜１４、及び基地局の擬似コロケーション測定用参照信号構成シグナリングによって指示される共用参照信号ポート０〜３が擬似コロケーションされる、と端末が想定する。
【０２００】
基地局は、１ｂｉｔのシグナリングによって擬似コロケーション関係のタイプの構成を実行する。
【０２０１】
コンピュータ実行可能な命令が記憶されているコンピュータ読取可能な記憶媒体であって、前記コンピュータ実行可能な命令は、プロセッサによって実行されると、上述した情報送信方法、情報決定方法及び関係決定方法を実現する。
【０２０２】
本発明の実施例には記憶媒体がさらに提供される。オプションとして、本実施例において、上記記憶媒体は、以下のステップＳ１１〜Ｓ１２を実行するためのプログラムコードを記憶するように構成されてもよい。
【０２０３】
Ｓ１１：基地局は、上位層シグナリングによってＭ個のパラメータ集合を送信し、ただし、Ｍ≧１で、Ｍは正の整数であり、各パラメータ集合には、擬似コロケーションノンゼロパワーチャネル状態情報参照信号ＣＳＩ−ＲＳ指示情報が含まれており、該擬似コロケーションノンゼロパワーＣＳＩ−ＲＳ指示情報は、端末がチャネルの広範囲特性を取得するためのものである。
【０２０４】
Ｓ１２：Ｍ＞１の場合、基地局は、物理層制御シグナリングによって、現在、物理層制御シグナリングを送信するサブフレームのパラメータ集合選択情報を指示する。
【０２０５】
オプションとして、記憶媒体は、さらに、以下のステップＳ２１〜Ｓ２２を実行するためのプログラムコードを記憶するように構成されてもよい。
【０２０６】
Ｓ２１：端末は、上位層シグナリングによってＭ個のパラメータ集合を受信し、ただし、Ｍ≧１で、Ｍは正の整数であり、各パラメータ集合には、擬似コロケーションノンゼロパワーチャネル状態情報参照信号ＣＳＩ−ＲＳ指示情報が含まれており、擬似コロケーションノンゼロパワーＣＳＩ−ＲＳ指示情報は、端末がチャネルの広範囲特性を取得するためのものである。
【０２０７】
Ｓ２２：Ｍ＝１の場合、端末は、擬似コロケーションノンゼロパワーＣＳＩ−ＲＳ指示情報に基づいて、擬似コロケーションチャネル状態情報参照信号ＣＳＩ−ＲＳ情報を決定する。
【０２０８】
Ｓ２３：Ｍ＞１の場合、端末は、物理層制御シグナリングによってパラメータ集合選択情報を受信し、擬似コロケーションノンゼロパワーＣＳＩ−ＲＳ指示情報及びパラメータ集合選択情報に基づいて、物理層制御シグナリングが現在あるサブフレームにおける復調参照信号ＤＭＲＳの擬似コロケーションＣＳＩ−ＲＳ情報を決定する。
【０２０９】
オプションとして、本実施例において、プロセッサは、記憶媒体に記憶されたプログラムコードに基づいて、以下のステップＳ３１〜Ｓ３３の実行コードを実行してもよい。
【０２１０】
Ｓ３１：端末は、Ｎ種の擬似コロケーション関係のタイプの集合を決定し、Ｎ≧１で、Ｎは正の整数である。
【０２１１】
Ｓ３２：Ｎ＝１の場合、端末は、擬似コロケーション関係のタイプに基づいて、アンテナポート同士の擬似コロケーション関係を決定する。
【０２１２】
Ｓ３３：Ｎ＞１の場合、端末は、擬似コロケーション関係のタイプ及び上位層シグナリング構成のタイプ指示シグナリングに基づいて、アンテナポート同士の擬似コロケーション関係の集合を決定する。
【０２１３】
オプションとして、本実施例において、上記記憶媒体は、Ｕディスク、リードオンリーメモリ(Read-Only Memory、単にＲＯＭという)、ランダムアクセスメモリ(Random Access Memory、単にＲＡＭという)、携帯型ハードディスク、磁気ディスク又は光ディスク等、プログラムコードを記憶可能な様々な媒体を含むことができるが、これに限定されない。
【０２１４】
オプションとして、本実施例における例は、上述した実施例及び代替的な実施形態に説明される例を参照することができるが、本実施例ではその詳細を省略する。
【０２１５】
上述した本発明の実施例の各モジュール又は各ステップは汎用の計算装置によって実現することができ、単独の計算装置に集成させることができれば、複数の計算装置から構成されるネットワークに分布させることもでき、さらに計算装置で実行可能なプログラムコードによって実現することもできるので、それらを記憶装置に格納して計算装置によって実行することができ、そして場合によって、示した又は説明したステップを上述と異なる手順で実行することができ、それぞれ集積回路モジュールに製作したり、これらのうち複数のモジュール又はステップを単独の集積回路モジュールに製作したりして実現することができることは、当業者にとって明らかなことである。このように、本発明の実施例は、如何なる特定のハードウェアとソフトウェアの結合に限定されない。
【０２１６】
以上は、本発明の代替的な実施例に過ぎず、本発明の実施例を限定することは意図していない。当業者であれば、本発明の実施例に様々な変更や変形が可能である。本発明の実施例の思想や原則内の如何なる修正、均等の置き換え、改良なども、本発明の保護範囲内に含まれるべきである。
【産業上の利用可能性】
【０２１７】
本発明の実施例の構成によれば、端末は、擬似コロケーションノンゼロパワーＣＳＩ−ＲＳ指示情報に基づいて、使用されるＣＳＩ−ＲＳ構成情報を決定し、そして、端末がチャネルの広範囲特性を取得するようにすることができ、端末が、取得されたチャネルの広範囲特性に基づくマッチングを行い、現在データの擬似コロケーション情報を取得するようにすることができ、これにより、従来、擬似コロケーション情報の通知シグナリングによる指示が不明確であることに起因して、端末の取得したチャネルの広範囲特性が正しくない問題を解決し、そのうえ、端末のチャネル推定性能を向上させる効果を達成する。
【図１】
2018530243.tif 000029
【図２】
2018530243.tif 000030
【図３】
2018530243.tif 000031
【図４】
2018530243.tif 000032
【図５】
2018530243.tif 000033
【図６】
2018530243.tif 000034
【図７】
2018530243.tif 000035
【図８】
2018530243.tif 000036
【図９】
2018530243.tif 000037
【図１０】
2018530243.tif 000038
【図１１】
2018530243.tif 000039
【図１２】
2018530243.tif 000040
【手続補正書】
【提出日】平成30年3月27日(2018.3.27)
【手続補正１】
【補正対象書類名】特許請求の範囲
【補正対象項目名】全文
【補正方法】変更
【補正の内容】
【特許請求の範囲】
【請求項１】
基地局が上位層シグナリングによって、端末がチャネルの広範囲特性を取得するための、擬似コロケーションノンゼロパワーチャネル状態情報参照信号ＣＳＩ−ＲＳ指示情報が含まれているＭ（Ｍ≧１で、Ｍは正の整数である）個のパラメータ集合を送信すること（Ｓ２０１）と、
Ｍ＞１の場合、基地局が物理層制御シグナリングによって、現在、前記物理層制御シグナリングを送信するサブフレームのパラメータ集合選択情報を指示する（Ｓ２０２）ことと、
を含む情報送信方法。
【請求項２】
前記パラメータ集合における擬似コロケーションノンゼロパワーＣＳＩ−ＲＳ指示情報は、擬似コロケーションＣＳＩ−ＲＳ時間領域位置指示情報を含む、
請求項１に記載の情報送信方法。
【請求項３】
前記パラメータ集合における擬似コロケーションノンゼロパワーＣＳＩ−ＲＳ指示情報は、擬似コロケーションＣＳＩ−ＲＳ周波数領域位置指示情報を含む、
請求項１に記載の情報送信方法。
【請求項４】
前記擬似コロケーションＣＳＩ−ＲＳ周波数領域位置指示情報は、リソースブロックＲＢ集合情報及びサブバンド集合情報のいずれか１つを含む、
請求項３に記載の情報送信方法。
【請求項５】
端末が上位層シグナリングによって、端末がチャネルの広範囲特性を取得するための、擬似コロケーションノンゼロパワーチャネル状態情報参照信号ＣＳＩ−ＲＳ指示情報が含まれているＭ（Ｍ≧１で、Ｍは正の整数である）個のパラメータ集合を受信すること（Ｓ３０１）と、
Ｍ＝１の場合、端末が、前記擬似コロケーションノンゼロパワーＣＳＩ−ＲＳ指示情報に基づいて、擬似コロケーションチャネル状態情報参照信号ＣＳＩ−ＲＳ情報を決定すること（Ｓ３０２）、或いは、
Ｍ＞１の場合、端末が、物理層制御シグナリングによってパラメータ集合選択情報を受信し、擬似コロケーションノンゼロパワーＣＳＩ−ＲＳ指示情報及び前記パラメータ集合選択情報に基づいて、前記物理層制御シグナリングが現在あるサブフレームにおける復調参照信号ＤＭＲＳの擬似コロケーションＣＳＩ−ＲＳ情報を決定すること（Ｓ３０３）と、
を含む情報決定方法。
【請求項６】
前記パラメータ集合における擬似コロケーションノンゼロパワーＣＳＩ−ＲＳ指示情報は、擬似コロケーションＣＳＩ−ＲＳ周波数領域位置指示情報を含む、
請求項５に記載の情報決定方法。
【請求項７】
前記擬似コロケーションＣＳＩ−ＲＳ周波数領域位置指示情報は、リソースブロックＲＢ集合情報及びサブバンド集合情報のいずれか１つを含む、
請求項６に記載の情報決定方法。
【請求項８】
端末がチャネルの広範囲特性を取得するための、擬似コロケーションノンゼロパワーチャネル状態情報参照信号ＣＳＩ−ＲＳ指示情報が含まれているＭ（Ｍ≧１で、Ｍは正の整数である）個のパラメータ集合を上位層シグナリングによって送信する第１の送信モジュール（５１）と、
Ｍ＞１の場合、現在、物理層制御シグナリングを送信するサブフレームのパラメータ集合選択情報を前記物理層制御シグナリングによって指示する第２の送信モジュール（５２）と、
を備える情報送信装置。
【請求項９】
前記パラメータ集合における擬似コロケーションノンゼロパワーＣＳＩ−ＲＳ指示情報は、擬似コロケーションＣＳＩ−ＲＳ時間領域位置指示情報を含む、
請求項８に記載の情報送信装置。
【請求項１０】
前記パラメータ集合における擬似コロケーションノンゼロパワーＣＳＩ−ＲＳ指示情報は、擬似コロケーションＣＳＩ−ＲＳ周波数領域位置指示情報を含む、
請求項８に記載の情報送信装置。
【請求項１１】
前記擬似コロケーションＣＳＩ−ＲＳ周波数領域位置指示情報は、リソースブロックＲＢ集合情報及びサブバンド集合情報のいずれか１つを含む、
請求項１０に記載の情報送信装置。
【請求項１２】
端末がチャネルの広範囲特性を取得するための、擬似コロケーションノンゼロパワーチャネル状態情報参照信号ＣＳＩ−ＲＳ指示情報が含まれているＭ（Ｍ≧１で、Ｍは正の整数である）個のパラメータ集合を上位層シグナリングによって受信する受信モジュール（６１）と、
Ｍ＝１の場合、前記擬似コロケーションノンゼロパワーＣＳＩ−ＲＳ指示情報に基づいて、擬似コロケーションチャネル状態情報参照信号ＣＳＩ−ＲＳ情報を決定する第１の決定モジュール（６２）と、
Ｍ＞１の場合、物理層制御シグナリングによってパラメータ集合選択情報を受信し、擬似コロケーションノンゼロパワーＣＳＩ−ＲＳ指示情報及び前記パラメータ集合選択情報に基づいて、前記物理層制御シグナリングが現在あるサブフレームにおける復調参照信号ＤＭＲＳの擬似コロケーションＣＳＩ−ＲＳ情報を決定する第２の決定モジュール（６３）と、
を備える情報決定装置。
【請求項１３】
前記パラメータ集合における擬似コロケーションノンゼロパワーＣＳＩ−ＲＳ指示情報は、擬似コロケーションＣＳＩ−ＲＳ時間領域位置指示情報を含む、
請求項１２に記載の情報決定装置。
【請求項１４】
前記パラメータ集合における擬似コロケーションノンゼロパワーＣＳＩ−ＲＳ指示情報は、擬似コロケーションＣＳＩ−ＲＳ周波数領域位置指示情報を含む、
請求項１２に記載の情報決定装置。
【請求項１５】
前記擬似コロケーションＣＳＩ−ＲＳ周波数領域位置指示情報は、リソースブロックＲＢ集合情報及びサブバンド集合情報のいずれか１つを含む、
請求項１４に記載の情報決定装置。
【国際調査報告】
2018530243.tif 000041
2018530243.tif 000042
2018530243.tif 000043
2018530243.tif 000044